(57)【要約】【課題】  本考案は電照看板の光源（ＬＥＤ・有機ＥＬ）を劣化させる条件の除去、経年変化の抑制及び輝度低下の自動補填を成し得る看板用電照最適化電源装置を得ることを課題とする。【解決手段】  看板設置位置の環境光をセンシングする照度センサー、看板内の温度をセンシングする温度センサー、光源の輝度をセンシングする輝度センサー及び光源への電源供給線を有し、それらのセンサー信号を処理する制御回路及び前記電源供給線に加える電圧をコントロールする電圧可変回路を設けた。【選択図】図１
0003140029.tif 000002
【実用新案登録請求の範囲】
【請求項１】
看板設置位置の環境光をセンシングする照度センサー、看板内の温度をセンシングする温度センサー、光源の輝度をセンシングする輝度センサー及び光源への電源供給線を有し、それらのセンサー信号を処理する制御回路及び前記電源供給線に加える電圧をコントロールする電圧可変回路を設けたことを特徴とする看板用電照最適化電源装置。
【考案の詳細な説明】
【技術分野】
【０００１】  本考案はＬＥＤや有機ＥＬを用いた電照看板やマークに使用する看板用電照最適化電源装置に関する。
【考案の開示】
【考案が解決しようとする課題】
【０００２】  ＬＥＤや有機ＥＬを使用した電照看板は、交流電源を直流電源に変換し最適電圧で使用している（図３全体構成図参照）が、これら発光器の特性として使用温度条件や経年変化で性能が劣化し輝度が低下する。本考案が解決しようとする課題は、性能を劣化させる条件の除去、経年変化の抑制及び輝度低下の自動補填を課題とする。
【課題を解決するための手段】
【０００３】  看板設置位置の環境光をセンシングする照度センサー、看板内の温度をセンシングする温度センサー、光源の輝度をセンシングする輝度センサー及び光源への電源供給線を有し、それらのセンサー信号を処理する制御回路及び前記電源供給線に加える電圧をコントロールする電圧可変回路を設けた。
【考案の効果】
【０００４】  電照看板の寿命が延びる。そのため電照看板の原価償却期間が延びて結果コスト安となる。点検回数やリペア回数が減少する。
【考案を実施するための最良の形態】
【０００５】  電照看板設置場所の環境光の度合い（以下、看板環境照度と称する）の検知を照度センサーで行う。当該照度センサーの制御回路は微弱な制御信号を扱える回路構成とする。その構成は照度信号開閉回路を内蔵し明暗による開閉度合いは適宜調整できる回路とする。照度信号開閉回路は電照のＯＮ・ＯＦＦを制御することとなる。【０００６】  光源（ＬＥＤ・有機ＥＬ）付近温度又は看板内部温度の検知を温度センサーで行う。当該温度センサーの信号に応じて、段階的に基準電圧の減圧を自動制御できる回路構成とする。温度信号制御回路を内蔵し下限の電圧は温度及び閾値を適宜調整できる回路とする。【０００７】  光源（ＬＥＤ・有機ＥＬ）近傍における発光度合い（以下、近傍輝度と称する）の検知を輝度センサーで行う。当該輝度センサーを、初期光度との比較において光度低下を検知し段階的に基準電圧の昇圧を段階的に自動制御できる回路構成とリンクさせる。その回路構成は輝度比較信号制御回路を内蔵し電圧の上限及び閾値は適宜調整できる回路とする。【０００８】  これらの開閉回路、温度制御回路及び輝度比較回路を司る電子回路に電圧可変回路を加えて、当該電子回路からＤＣ電源供給線に向けて出力させる電圧及び開閉をコントロールする。
【実施例】
【０００９】  図１は本考案の全体構成図である。電照看板の電照部分であるＬＥＤ７ブロックＬＢ１乃至ＬＢ４には、ＤＣ電源供給線を通して所定電圧の直流電流が流れている。その所定電圧は電子回路１が内蔵する電圧可変回路が自動設定した電圧である。看板内部温度と近傍輝度を測定するセンサーはＬＥＤブロックＬＢ１乃至ＬＢ４の適宜箇所で良い。図１は「株」の字を形成するＬＥＤブロックＬＢ１をサンプリング箇所に選択し、この箇所に看板内部温度を測定する温度センサー、近傍輝度を測定する輝度センサーを設置する。看板環境照度を測定するに適する位置に照度センサーを設置する。電子回路１は電圧可変回路を内蔵し、その電圧可変回路により制御されたＤＣ電圧をＤＣ電源供給線に加える。【００１０】  電子回路１はＡＣ１００Ｖ〜２００Ｖの電源により駆動し、既述の照度センサー、温度センサー及び輝度センサーからの電気信号を受けて、その情報を照度信号開閉回路、温度信号制御回路及び輝度信号比較制御回路経由で電圧可変回路で処理し、その結果として、電照を自動でＯＮ・ＯＦＦしたり、又は、自動で所定電圧をＤＣ電源供給線に加えることとなる。【００１１】  図２は本考案による看板用電照最適化電源装置の説明図である。１が制御回路であり、２が照度センサーであり、３が輝度センサーであり、４が温度センサーであり、５がＬＥＤであり、６がＤＣ電源供給線であり、７が輝度信号線であり、８が温度信号線であり、９が照度信号線である。ＬＥＤ５の集合物がＬＢ１であり、全体として図２に示す「株」の字を夜間浮かび上がらせる。看板の構成部材としては１０が押さえ金具であり、１１が立ち板であり、１２が拡散（乳半）アクリル板である。照度センサー２は看板の下面に設けた穴を利用して看板環境の明るさをセンシングする。看板の下面に穴を設けることで雨じまいの効果がある。【００１２】  本考案において、電照駆動電圧の昇圧は、輝度センサー３からの電気信号入力を受けて、初期輝度のメモリー値との比較において輝度が下がっておれば電圧可変回路の制御作用で行う。
ＬＥＤや有機ＥＬの寿命は稼働時間に依存する。劣化したＬＥＤや有機ＥＬに作用する電圧を意図的に昇圧して外観上確認できる劣化の様子を回避するのである。【００１３】  本考案において、電照駆動電圧の減圧は、温度センサー４からの電気信号入力を受けて、電子基板１か内蔵する温度信号制御回路と電圧可変回路の制御作用で行う。
ＬＥＤや有機ＥＬの寿命は環境温度の影響を受ける。ＬＥＤや有機ＥＬを高温時に点灯するとこれら発光体の寿命は短くなる。そこで、その環境温度に応じて駆動電圧を段階的に下げれば発光体の寿命を延ばすことが可能となる。【００１４】  本考案において、夜間と昼間を区別しての電照自動点滅は、照度センサー２からの電気信号入力を受けて、電子基板１が内蔵する照度信号開閉回路の制御作用で電照のＯＮ・ＯＦＦを実行する。電照のＯＮ・ＯＦＦの実行は汎用の自動点滅器を転用することも可能である。尚、場合によっては、電照点灯後タイマーにより一定時間経過後自動ＯＦＦする機能を付加しても良い。【００１５】  本考案はＬＥＤや有機ＥＬの駆動を最適化するための創作であり、駆動電圧をセンサー群を使って可変化と成す技術思想である。
【産業上の利用可能性】
【００１６】  本考案は、近年汎用化の傾向のあるＬＥＤや有機ＥＬを使用した看板に付設して使用する看板用電照最適化電源装置であり、産業上の利用可能性が自明であり、本物品の開示により産業の発展に寄与する。
【図面の簡単な説明】
【００１７】
【図１】  全体構成図である。
【図２】  説明図である。
【図３】  全体構成図である。
【符号の説明】
【００１８】  １    電子回路
２    照度センサー
３    輝度センサー
４    温度センサー
５    ＬＥＤ
６    ＤＣ電源供給線
７    輝度信号線
８    温度信号線
９    照度信号線
【図１】
0003140029.tif 000003
【図２】
0003140029.tif 000004
【図３】
0003140029.tif 000005